(57)【特許請求の範囲】
【請求項１】
装置本体に対して開閉体を開閉可能に連結するものであって、前記開閉体の取付部に設けた変形取付穴へ挿入固定されるフランジ部を有する回転シャフトと、この回転シャフトの前記フランジ部と対向する側に回転可能に係止され前記装置本体側に設けた変形取付孔へ挿入固定される手段を有するガイドプレートと、前記回転シャフトを挿通させる挿通孔を有し、前記ガイドプレートと略同一の外径を有すると共に、このガイドプレートに当接して該ガイドプレートと共に前記回転シャフトの回りで回転可能となるように前記ガイドプレートに固定された第１クリックプレートと、この第１クリックプレートに当接して前記回転シャフトに非回転かつ軸方向へ摺動可能に取り付けられた第２クリックプレートと、この第２クリックプレートを前記第１クリックプレート側へ押圧するために前記フランジ部との間に弾設された皿ばねやスプリングワッシャ等の弾性手段とで構成すると共に、前記第１クリックプレートは前記挿通孔の周辺部とそれ自身の外周部にそれぞれ設置角度を変えて内側切欠と外側切欠を一対ずつ設け、前記第２クリックプレートには、前記第１クリックプレートとの回転角度により前記内側切欠に嵌入する内側突起と前記外側切欠に嵌入する外側突起を設けたことを特徴とする、開閉体の開閉装置。
【請求項２】
前記回転シャフトの前記ガイドプレート側に取り付けた側には、キャップを取り付けるように構成したことを特徴とする、請求項１に記載の開閉体の開閉装置。
【請求項３】
前記内側切欠と外側切欠をそれぞれ小孔としたことを特徴とする、請求項１乃至２のいずれかに記載の開閉体の開閉装置。
【請求項４】
前記ガイドプレートを前記回転シャフトへ係止する手段が、該回転シャフトに係合させたＥリング、或はプッシュナットであることを特徴とする、請求項１乃至３のいずれかに記載の開閉体の開閉装置。
【発明の詳細な説明】
【０００１】
【発明の属する技術分野】
この発明は、ノート型パソコン、その他の例えば携帯用電話機等の小型のＯＡ機器や電子機器に用いて好適な開閉体の開閉装置に関する。
【０００２】
【従来の技術】
従来、ノート型パソコン等の小型のＯＡ機器のディスプレー体をキーボード本体に対して開閉することができ、所定の開成角度においてディスプレー体をキーボード本体に対して安定的に停止保持させることのできる開閉装置として、装置本体側へ取り付けられる取付部材に開閉体を支持する回転シャフトを回転可能に取り付け、この回転シャフトを回転可能に中心部に挿通させてカム部を有する固定カム部材を前記取付部材に固定させ、この固定カム部材のカム部と当接するカム部を有し前記回転シャフトと共に回転するが軸方向へ摺動可能になるように該回転シャフトに取り付けた回転摺動カム部材と、この回転摺動カム部材を固定カム部材の側へ押圧する弾性手段とから構成したものが公知である。
【０００３】
【発明が解決しようとする課題】
この従来公知の開閉装置は、これはこれで充分にディスプレー体等の開閉体を所定の開成角度で安定保持できる機能を有するが、カム部材にカム部のための厚味を必要とすることから装置を小型化するのに限度があった。また、カム部材を成型するための金型を必要とするなどして、製作コストがどうしても高くなってしまうという問題もあった。
【０００４】
この発明の目的は、従来のものよりも小型でも開閉体を所定の開成角度で安定保持できる製造コストの安い開閉体の開閉装置を提供せんとするにある。
【０００５】
【課題を解決するための手段】
上述した目的を達成するためにこの発明は、装置本体に対して開閉体を開閉可能に連結するものであって、前記開閉体の取付部に設けた変形取付穴へ挿入固定されるフランジ部を有する回転シャフトと、この回転シャフトの前記フランジ部と対向する側に回転可能に係止され前記装置本体側に設けた変形取付孔へ挿入固定される手段を有するガイドプレートと、前記回転シャフトを挿通させる挿通孔を有し、前記ガイドプレートと略同一の外径を有すると共に、このガイドプレートに当接して該ガイドプレートと共に前記回転シャフトの回りで回転可能となるように前記ガイドプレートに固定された第１クリックプレートと、この第１クリックプレートに当接して前記回転シャフトに非回転かつ軸方向へ摺動可能に取り付けられた第２クリックプレートと、この第２クリックプレートを前記第１クリックプレート側へ押圧するために前記フランジ部との間に弾設された皿ばねやスプリングワッシャ等の弾性手段とで構成すると共に、前記第１クリックプレートは前記挿通孔の周辺部とそれ自身の外周部にそれぞれ設置角度を変えて内側切欠と外側切欠を一対ずつ設け、前記第２クリックプレートには、前記第１クリックプレートとの回転角度により前記内側切欠に嵌入する内側突起と前記外側切欠に嵌入する外側突起を設けたことを特徴とする。
【０００６】
この発明はまた、前記回転シャフトの前記ガイドプレート側に取り付けた側には、キャップを取り付けるように構成したことを特徴とする。
【０００７】
その際にこの発明は、前記内側切欠と外側切欠をそれぞれ小孔としたことを特徴とする。
【０００８】
この発明はさらに、前記ガイドプレートを前記回転シャフトへ係止する手段を、該回転シャフトに係合させたＥリング、或はプッシュナットで構成することができる。
【０００９】
【発明の実施の形態】
図１乃至図６はこの発明の一実施の形態を示し、１はその一側部にフランジ部２を形成させた回転シャフトである。この回転シャフト１はフランジ部２に隣接して前後部を削り取ることにより断面略楕円形状を呈した取付部１ａが設けられており、この取付部１ａを想像線で示した開閉体１０の取付部１１に設けた断面略楕円形状の変形取付穴１１ａへ嵌入させることにより開閉体１０側へ固定されている。３はその中心部に設けた断面円形の軸受孔３ａに回転シャフト１を回転可能に挿通させつつ該回転シャフト１に設けた周溝１ｂに係止させたＥリング４によって、フランジ部２と対向する側に係止させたガイドプレートであり、このガイドプレート３の前後部を削り取ることによって同じく略楕円形状を呈しており、想像線で示した装置本体１２の取付部１３に設けた断面略楕円形状を呈した変形取付孔１３ａへ嵌入させることにより装置本体１２側へ固定されている。このガイドプレート３のフランジ部２側の側面には、略円形状のクリックプレート５が、その対向外周部より曲折した一対の係止片５ａ，５ａをガイドプレート３の外周に設けた係止溝３ｂ，３ｂ係止されることによって取り付けられており、かつ、その中心部に設けた断面円形の挿通孔５ｂに回転可能に回転シャフト１を挿通させている。この第１クリックプレート５には、その面部の外周に接して対向位置に外側切欠５ｃ，５ｃが、内面の対向位置に挿通孔５ｂに接して内側切欠５ｄ，５ｄが設けられている。
【００１０】
第１クリックプレート５の側面に接して、略円形状の第２クリックプレート６がその中心部に設けた側面略楕円形状の変形挿通孔６ａへ回転シャフト１を挿通させて設けられており、この第２クリックプレート６は軸方向へ摺動可能に回転シャフト１に係止されている。この第２クリックプレート６の第１クリックプレート５と対向する側には、その外周部と内面部のそれぞれ対向位置に各一対の外側突起６ｂ，６ｂと内側突起６ｃ，６ｃがプレス加工により突設されており、第１クリックプレート５に対する第２クリックプレート６の回転により、外側突起６ｂ，６ｂは内側切欠５ｃ，５ｃへ、内側突起６ｃ，６ｃは内側切欠５ｄ、５ｄと各々嵌合するようにその設置位置が定められている。７は複数枚（実施例では４枚、尚、この数に限定はない）の皿バネ８，８・・・から成る弾性手段であり、その中心部に設けた断面略楕円形状の変形挿通孔８ａ，８ａ・・・へ回転シャフト１を挿通させつつフランジ部２と第２クリックプレート６との間に弾設されている。尚、図示はしてしてないが第１クリックプレート５と第２クリックプレート６との間には、例えばシリコングリスのような潤滑材が塗布されている。また、皿バネはこれをスプリングワッシャーとしても良い。
【００１１】
９はキャップであり、一端部中心より軸方向に設けた係止穴９ａへ回転シャフト１の端部を圧入することにより、該回転シャフト１へ取り付けられている。
【００１２】
今、図５のように開閉体１０を装置本体１２に対して閉じている時には、第１クリックプレート５の外周部の外側切欠５ｃ，５ｃへ第２クリックプレート６の外側突起６ｂ，６ｂがその一部を嵌入させ、かつ、弾性手段７が第２クリックプレート６を第１クリックプレート５側へ押圧されていることにより、開閉体１０は装置本体１２に対し安定した閉成状態を保っており、自然に開いてしまうことはない。この状態から開閉体１０を開くと、第２クリックプレート６の外側突起６ｂ，６ｂは第１クリックプレート５の外側切欠５ｃ，５ｃより弾性手段８の押圧力に抗して脱出し、両者は開かれる。そして、しかる後の開成角度においては、弾性手段７が第２クリックプレート６を第１クリックプレート５側へ押圧する押圧力によって第２クリックプレート６の内側突起６ｃ，６ｃと外側突起６ｂ，６ｂが第１クリックプレート５の面部に圧接することにより創出されるフリクショントルクにより、自然に両者が開閉されることなく手動によりフリーストップに開閉される。図６のように開閉体１０の開成角度が１５０°に達すると、今度は第２クリックプレート６の内側突起６ｃ，６ｃが第１クリックプレートの内側切欠５ｄ，５ｄへ落ち込むことによってクリック停止され、その位置を安定的に保つ。開閉体１０と装置本体１２はこのクリック停止位置を越えてさらに開くことが可能である。開閉体１０を閉じると、第２クリックプレート６の内側突起６ｃ，６ｃは、第１クリックプレート５の内側切欠５ｄ，５ｄを脱出して、上述したようにフリーストップ停止可能に閉じられ、閉成位置近くで第２クリックプレートの外側突起６ｂ，６ｂが第１クリックプレート５の外側切欠５ｃ，５ｃへ落ち込む勢いにより、吸い込まれるように閉じられ、その閉成位置で上述したように安定保持状態を保つ。
【００１３】
尚、本願発明に係る第１クリックプレートと第２クリックプレートは、それがプレート状のものである点を除けば、外側及び内側切欠はこれを小孔或は凹部としても良く、外側及び内側突起を含めてその設置位置、数に限定はない。皿バネはこれをスプリングワッシャーとし、Ｅリングはこれをプッシュナットとすることができる。さらに、本願発明に係る開閉装置を一対用いる場合には、クリック力を増大させたり、クリック位置を増やしたりすることができる他、各々の開閉装置のクリックプレートの設置位置を円周方向に変えることによりガタの発生を防止することもできるものである。さらに、実施例では回転シャフトとガイドプレートは使用時に相対的に回転するものとして説明したが、どちらか一方を固定状態とし、他方をこれに対して回転するように使用することができることは勿論である。
【００１４】
【発明の効果】
この発明は以上のように構成したので、カム部材を用いるものに較べてとくに軸方向の長さを短縮でき、装置全体として例えばノート型パソコンのような小型の開閉機構を必要とする装置に適した小型のものとすることができた上で、開閉体を任意の開成位置でフリーストップに停止保持でき、所定の開成角度でクリック停止させ、その位置で安定停止保持できるという効果を奏し得る。また、キャップを取り付けると、開閉装置を取り付けた装置本体の外部から見えなくすることができ、これによって審美性の向上を図ることができるものである。
【図面の簡単な説明】
【図１】  この発明に係る開閉体の開閉装置の正面図である。
【図２】  この発明に係る開閉体の開閉装置の正面断面図である。
【図３】  この発明に係る開閉体の開閉装置の分解斜視図である。
【図４】  図３のＡ−Ａ線断面図である。
【図５】  図３のＢ−Ｂ線断面図である。
【図６】  ガイドプレートを１５０°回転させて図３のＢ−Ｂ線の方向から見た断面図である。
【符号の説明】
１  回転シャフト
２  フランジ部
３  ガイドプレート
４  Ｅリング
５  第１クリックプレート
５ａ  係止片
５ｃ  外側切欠
５ｄ  内側切欠
６  第２クリックプレート
６ｂ  外側突起
６ｃ  内側突起
７  弾性手段
８  皿バネ
９  キャップ
１０  開閉体
１１  取付部
１１ａ  変形取付穴
１２  装置本体
１３  取付部
１３ａ  変形取付孔
【図１】
0003721244.tif 000002
【図２】
0003721244.tif 000003
【図３】
0003721244.tif 000004
【図４】
0003721244.tif 000005
【図５】
0003721244.tif 000006
【図６】
0003721244.tif 000007